(57)【要約】【課題】  デジタルビデオカメラにおいてバッテリーの残量を一目で確認出来て、かつ確認の度に電力を消費したりしないことによりユーザーにとって使いやすいデジタルビデオカメラを提供することを目的とする。【解決手段】  バッテリーの残量をインジケータにより常に確認出来ることにより、ユーザーの手を煩わせず、電力を浪費せずにバッテリー残量を確認するとこが可能になり、充電中において一定期間ごとに電池残量の表示を更新することをにより、充電中でも充電を中断せずにバッテリー残量を確認することが可能になり、電源を切っている間においても一定期間ごとに電池残量の表示を更新することにより、再び使用する際にもバッテリー残量を容易に確認することが可能となる。【選択図】  図１
2010271577.tif 000002
【特許請求の範囲】
【請求項１】
電源が入っていない時にバッテリー残量をインジケータで表示することと、
インジケータはズームレンズのレンズ位置と連動した機構を持っていることと、
撮像装置の電源を切った時にレンズバリアが閉じることと、
レンズバリアとインジケータ表示窓が連動している機構を持つことを
特徴とする撮像装置。
【請求項２】
充電中においては一定期間ごとに電池残量の表示を更新することを特徴とする請求項１に記載の撮像装置。
【請求項３】
電源を切っている間においても一定期間ごとに電池残量の表示を更新することを特徴とする請求項１又は請求項２に記載の撮像装置。
【発明の詳細な説明】
【技術分野】
【０００１】
本発明は撮像装置におけるバッテリー残量の表示に関する。
【背景技術】
【０００２】
従来のデジタルビデオカムコーダにおいてバッテリーの残量を確認するためには、一度本体の電源を入れてカムコーダ本体を起動させてからバッテリーの残量を液晶画面や専用の発光インジケータに表示させる必要があった。
【０００３】
そのため、一目でバッテリーの残量を確認することが出来ず、また無闇に本体を起動させると、起動の度に電力を消費していた。
【先行技術文献】
【特許文献】
【０００４】
【特許文献１】特開２００３−２２８１１６号公報
【発明の概要】
【発明が解決しようとする課題】
【０００５】
上記従来の背景技術では、バッテリーの残量を確認するためには一度本体の電源を入れてカムコーダ本体を起動させてからバッテリーの残量を液晶画面や専用の発光インジケータに表示させる必要があるという課題があった。
【０００６】
本発明はデジタルビデオカメラにおいてバッテリーの残量を一目で確認出来て、かつ確認の度に電力を消費したりしないユーザーにとって使いやすい撮像装置を提供できる。
【課題を解決するための手段】
【０００７】
前述の課題を解決するため本発明のデジタルビデオカメラは電源が入っていない時にバッテリー残量をインジケータで表示することと、
インジケータはズームレンズのレンズ位置と連動した機構を持っていることと、
撮像装置の電源を切った時にレンズバリアが閉じることと、
レンズバリアとインジケータ表示窓が連動している機構を持つことを特徴とするデジタルビデオカメラである。
【０００８】
また、上記デジタルビデオカメラにおいて充電中においては一定期間ごとに電池残量の表示を更新することを特徴とするデジタルビデオカメラである。
【０００９】
また、上記デジタルビデオカメラにおいて電源を切っている間においても一定期間ごとに電池残量の表示を更新することを特徴とするデジタルビデオカメラでもある。
【００１０】
以上の事により、バッテリーの残量を一目で確認出来て、かつ確認の度に電力を消費したりしない
ユーザーにとって使いやすい撮像装置を提供できる。
【発明の効果】
【００１１】
本願に記載した発明によればバッテリーの残量をインジケータにより常に確認出来ることにより、ユーザーの手を煩わせず、電力を浪費せずにバッテリー残量を確認するとこが可能になり、充電中において一定期間ごとに電池残量の表示を更新することにより、充電中でも充電を中断せずにバッテリー残量を確認することが可能になり、電源を切っている間においても一定期間ごとに電池残量の表示を更新することにより、再び使用する際にもバッテリー残量を容易に確認することが可能となり、バッテリーの残量を一目で確認出来て、かつ確認の度に電力を消費したりしないユーザーにとって使いやすい撮像装置を構築することが可能となる。
【図面の簡単な説明】
【００１２】
【図１】本発明の請求項１，２，３の実施形態の概観を説明する図である。
【図２】本発明の請求項１，２，３の実施形態の構造を説明する図である。
【図３】本発明の請求項１，２，３の実施形態の構造を説明する図である。
【図４】本発明の請求項１の実施形態のフローチャートを説明する図である。
【図５】本発明の請求項２の実施形態のフローチャートを説明する図である。
【図６】本発明の請求項３の実施形態のフローチャートを説明する図である。
【発明を実施するための形態】
【００１３】
［実施例１］
図１は本発明の請求項１の実施形態を最もよく表す図面であり、同図において１はデジタルビデオカムコーダであり、撮像装置本体である。
【００１４】
２はバッテリーであり１へ電力を供給する。
【００１５】
３はバッテリー残量インジケータであり、２の残り電力を表示する。
【００１６】
４はズームレンズであり、３は４の動きによって連動する。
【００１７】
また、図２は請求項１の構造を表す図面であり、１１はズームレンズであり、中のレンズの動きによって１６のバッテリー残量インジケータが連動する。
【００１８】
１２はＣＣＤ基板であり、１１を通った映像を撮影する。
【００１９】
１３は開いているレンズバリアであり、１の電源が入って撮影している時には１３は開いており、１５が１６を外部から見えないように隠している。
【００２０】
１４は閉じているレンズバリアであり、１の電源が切れている時に１４は閉じており、１５は１６が外部から見える位置に移動している。
【００２１】
１５はインジケータカバーであり、１３が開いている時に、１６が外部から見えないようにするものである。
【００２２】
１６はバッテリー残量インジケータであり、１の電源が切られた時にバッテリー残量表すものである。
【００２３】
また、図３も請求項１の構造を表す図面であり、２１は内側レンズバリアであり、２３を軸として回転運動をし２４と一体となって開閉する。
【００２４】
２２は外側レンズバリアであり、２１が開くことによって２２も２３を軸として回転運動をし２１に押されるようにして開閉する。
【００２５】
２３は回転軸であり、２１と２２が開閉する回転の中心軸である。
【００２６】
２４はインジケータカバーであり、２１と一体となって回転して１６が外部から見えないようにするものである。
【００２７】
また、図４は請求項１のフローチャートを最もよく表す図面であり、３１の電源スイッチＯＦＦにおいて電源スイッチが切られると、３２のバッテリー電圧測定においてバッテリーの電圧を測定し、３３のバッテリー残量計算において３２で測定した電圧からバッテリーの残容量を算出する。
【００２８】
３４のズームレンズを残量位置へ移動において、３３において算出したバッテリー残量を示す位置にズームレンズを移動させて１６によって残容量を表示する。
【００２９】
３５のレンズバリアにおいて、レンズバリア２１，２２を閉じることにより２４によって隠されていた１６が外部から確認出来るようになる。
【００３０】
以上の構成をなすことにより、バッテリーの残量を一目で確認出来て、かつ確認の度に電力を消費したりしないユーザーにとって使いやすいデジタルビデオカメラを構築することが可能となる。
【００３１】
［実施例２］
図１と図２と図３は本発明の請求項２の実施形態を最もよく表す図面であり、実施例１と同様の形態をしめすものである。
【００３２】
また、図５は請求項２のフローチャートを最もよく表す図面であり、４１の充電開始において、２の充電を開始すると、４２のバッテリー電圧測定においてバッテリーの電圧を測定し、４３のバッテリー残量計算において４２で測定した電圧からバッテリーの残容量を算出する。
【００３３】
４４のズームレンズを残量位置へ移動において、４３において算出したバッテリー残量を示す位置にズームレンズを移動させて１６によって残容量を表示する。
【００３４】
４５のバッテリー充電継続において、２の充電は続けられる。
【００３５】
その後、４６の一定時間経過において定められた時間が経過するとふたたび４２へ戻り充電中のバッテリー残量の表示を最新の状態へ保つ。
【００３６】
以上の構成をなすことにより、バッテリーの残量を一目で確認出来て、かつ確認の度に電力を消費したりしないユーザーにとって使いやすいデジタルビデオカメラを構築することが可能となる。
【００３７】
［実施例３］
図１と図２と図３は本発明の請求項３の実施形態を最もよく表す図面であり、実施例１と同様の形態をしめすものである。
【００３８】
また、図６は請求項１のフローチャートを最もよく表す図面であり、５１の電源スイッチＯＦＦにおいて電源スイッチが切られると、５２の一定時間経過において定められた時間が経過すると５３のバッテリー電圧測定においてバッテリーの電圧を測定し、５４のバッテリー残量計算において５３で測定した電圧からバッテリーの残容量を算出する。
【００３９】
５５のズームレンズを残量位置へ移動において、５４において算出したバッテリー残量を示す位置にズームレンズを移動させて１６によって残容量を表示する。
【００４０】
そしてふたたび５２へ戻り、電源ＯＦＦ中のバッテリー残量の表示を最新の状態へ保つ。
【００４１】
以上の構成をなすことにより、バッテリーの残量を一目で確認出来て、かつ確認の度に電力を消費したりしないユーザーにとって使いやすいデジタルビデオカメラを構築することが可能となる。
【符号の説明】
【００４２】
１  デジタルビデオカムコーダ
２  バッテリー
３  バッテリー残量インジケータ
４  ズームレンズ
１１  ズームレンズ
１２  ＣＣＤ基板
１３  開いているレンズバリア
１４  閉じているレンズバリア
１５  インジケータカバー
１６  バッテリー残量インジケータ
２１  内側レンズバリア
２２  外側レンズバリア
２３  回転軸
２４  インジケータカバー
３１  電源スイッチＯＦＦ
３２  バッテリー電圧測定
３３  バッテリー残量計算
３４  ズームレンズを残量位置へ移動
３５  レンズバリアを閉じる
４１  充電開始
４２  バッテリー電圧測定
４３  バッテリー残量計算
４４  ズームレンズを残量位置へ移動
４５  バッテリー充電継続
４６  一定時間経過タイマ
５１  電源スイッチＯＦＦ
５２  一定時間経過タイマ
５３  バッテリー電圧測定
５４  バッテリー残量計算
５５  ズームレンズを残量位置へ移動
【図１】
2010271577.tif 000003
【図２】
2010271577.tif 000004
【図３】
2010271577.tif 000005
【図４】
2010271577.tif 000006
【図５】
2010271577.tif 000007
【図６】
2010271577.tif 000008